(57)【要約】【課題】多条施肥形態、又は多条播種形態の施肥播種では、各繰出装置における回収シャッタを単一操作具で同時に開く形態にすると、回収される肥料等が回収管等の搬送経路内に詰り易くなる。又、繰出装置の数基の回収シャッタ毎に分割して操作しうるように複数の操作具を設ける形態では、施肥播種装置の横幅が広いため作業者の横移動による操作が面倒であり、部分的な操作忘れを生ずることも多い。【解決手段】肥料乃至種子を繰出す繰出装置を横方向に多数基並設すると共に、各繰出装置部には残留物を機外へ取出回収させる回収シャッタ２付きの回収口を有して多条施肥又は多条播種する施肥播種機において、これら多数基のうち一部の回収シャッタ２Ａと、全部の回収シャッタ２Ｂとに切替えて開閉操作する操作具４を、該繰出装置並びの一側端部に設けたことを特徴とする残留物回収装置の構成。【選択図】  図１
2004242635.tif 000002
【特許請求の範囲】
【請求項１】
肥料乃至種子を繰出す繰出装置１を横方向に多数基並設すると共に、各繰出装置１部には残留物を機外へ取出回収させる回収シャッタ２付きの回収口３を有して多条施肥又は多条播種する施肥播種機において、これら多数基のうち一部の回収シャッタ２Ａと、全部の回収シャッタ２Ｂとに切替えて開閉操作する操作具４を設けたことを特徴とする残留物回収装置。
【請求項２】
前記操作具４は、単一として一部の回収シャッタ２Ａと、全部の回収シャッタ２Ｂとに切替えて開閉操作可能で、該繰出装置１並びの一側端部に設けたことを特徴とする請求項１に記載の施肥播種機の残留物回収装置。
【発明の詳細な説明】
【０００１】
【発明の属する技術分野】
この発明は、多条施肥機、又は多条播種機における施肥残留物、又は播種残留物を回収する残留物回収装置に関する。多条苗植機の施肥装置にも利用される。
【０００２】
【発明が解決しようとする課題】
４条植形態の苗植機に同条基数の肥料繰出装置を横並びにして設け、各繰出装置の開口部に回収シャッタを設け、この回収シャッタを肥料搬送用の送風切替シャッタと連動させて、回収シャッタを開いて残量肥料を回収するときは、送風切替シャッタを回収側の回収管側へ送風するように切替連動する構成としている（例えば、特許文献１参照）。
【０００３】
【特許文献１】
特開平９ー１４０２２９号公報（第１頁、図１）
【０００４】
【課題を解決するための課題】
苗植機に装着する施肥装置等では、苗植装置の５〜６条植を越えた、７〜８条植形態以上の多条植形態に伴って、同条数の多条施肥形態の施肥装置が装着されることが多い。このような多条施肥形態、又は多条播種形態の施肥播種では、各繰出装置における回収シャッタを単一操作具で同時に開く形態にすると、回収される肥料等が回収管等の搬送経路内に詰り易くなる。又、繰出装置の数基の回収シャッタ毎に分割して操作しうるように複数の操作具を設ける形態では、施肥播種装置の横幅が広いため作業者の横移動による操作が面倒であり、部分的な操作忘れを生ずることも多い。
【０００５】
【課題を解決するための手段】
請求項１に記載の発明は、肥料乃至種子を繰出す繰出装置１を横方向に多数基並設すると共に、各繰出装置１部には残留物を機外へ回収排出させる回収シャッタ２付きの回収口３を有して多条施肥又は多条播種する施肥播種機において、これら多数基のうち一部の回収シャッタ２Ａと、全部の回収シャッタ２Ｂとに切替えて開閉操作する操作具４を設けたことを特徴とする残留物回収装置の構成とする。繰出装置１は機体の進行方向に対して横方向に多数基設されて、機体の進行に伴って各繰出装置１における肥料又は種子の繰出が行われると、多条施肥、又は多条播種が行われる。作業が終ると各繰出装置１に残留している残留物を機外へ取出して回収する。このとき各繰出装置１の回収シャッタ２を開くことによって各回収口３から残留物が回収される。この回収シャッタ２の操作として、操作具４によって各繰出装置１のうち一部の回収シャッタ２Ａを同時に開閉したり、又、全部の回収シャッタ２Ｂを同時に開閉することができる。この操作具４の操作は、一部の回収シャッタ２Ａと全部の回収シャッタ２Ｂとに切替えて開閉操作することができる。一部の繰出装置１に詰りを生じている場合や、各繰出装置１における残留量が多い場合等では、一部の回収シャッタ２Ａ毎に開閉操作することができ、各繰出装置１の残留量が少い場合は、全部の回収シャッタ２Ｂを開閉操作できる。
【０００６】
請求項２に記載の発明は、前記操作具４は、単一として一部の回収シャッタ２Ａと、全部の回収シャッタ２Ｂとに切替えて開閉操作可能で、該繰出装置１並びの一側端部に設けたことを特徴とするものである。前記のような回収シャッタ２の開閉操作において、この操作具４の操作は全繰出装置１の横側端部において行われ、単一の操作具４を一部の回収シャッタ２Ａ側と、全部の回収シャッタ２Ｂ側とに選択し切替え操作することができる。
【０００７】
【発明の効果】
請求項１に記載の発明は、一部の回収シャッタ２Ａと全部の回収シャッタ２Ｂとを切替選択して開閉する操作具４により、部分的な回収シャッタ２Ａを開閉できるため回収中の肥料や種子等の詰りをなくすることができる。
【０００８】
請求項２に記載の発明は、操作具４が繰出装置１並びの一側端部に設けられるため、多条広幅の作業装置に拘らず操作者が移動することなく一箇所で操作することができ、迅速、的確、容易である。また、一部の回収シャッタ２Ａと全部の回収シャッタ２Ｂとは、同一操作具４によって切替操作されるものであるから、構成、及び操作は簡単であり、操作忘れも少くなり一層的確である。
【０００９】
【発明の実施の形態】
この発明の実施例を図面に基づいて説明する。この施肥播種機は、図例では苗植機に施肥装置を装着して、多条苗植と多条施肥を行う形態としている。このように施肥は単独で行う形態か、又は苗植機や播種機と共に一体的に装着されて同時施肥を行いうる形態とするが、播種では単独で行う形態か、又は播種機と共に一体的に装着して同時作業を行う形態とする。この多条植苗植機の後部に施肥繰出装置１を搭載して、多条植形態の各苗植付土壌面部に施肥するものである。苗植機は、ハンドル５によって操作可能な前車輪６と後車輪７を有して、運転席８下のエンジン９によって伝動駆動して走行される四輪駆動走行形態のトラクタ１０車体１１を有し、この車体１１の後側に昇降自在の平行リンク形態の昇降リンク１２を有し、この昇降リンク１０の後側に苗植装置１３の苗植フレーム１４部が連結される。この苗植装置１３は、苗植フレーム１４の下側部に土壌面を滑走しながら均平支持するフロート１５と、マット状に育苗されたマット苗を収容して後下方へ繰出供給する横並形態の苗タンク１６と、各苗タンク１６から繰出されるマット苗を分離保持して下方の均平土壌面に植付ける苗植付爪１７と等を配置して構成され、１０条の多条植形態の苗植機を構成する。前記エンジン９を収容するエンジンルーム５８を覆うエンジンカバー５９の外周部には、操縦フロア６０が設けられる。
【００１０】
施肥装置は、車体１１後部の運転席８後側に配置されて、肥料を収容するホッパー１８と、この肥料を繰出す繰出装置１と、この繰出装置１の繰出ロール１９の回転によって繰出された肥料を案内して土壌の施肥溝部へ搬送する施肥ホース２０と、この各施肥ホース２０部へ送風する送風ファン２１、及び送風パイプ２２と等からなり、車体１１上の取付フレーム４１に装着される。これら各ホッパー１８、繰出装置１、繰出ロール１９、及び送風パイプ２２等は横方向に並設されて、多条植形態の苗植装置１３の並び列に沿うように構成される。これら繰出装置１の並び列の横端部の送風パイプ２２へ送風しうる送風ファン２１を設けている。この送風パイプ２２は繰出装置１の前側下部に沿うように設けられ、この繰出装置１の回収口３から排出される残留物（肥料）を受けて横方向へ搬送する回収パイプ２３が、後側下部に沿って設けられ、送風ファン２１側とは反対の側端部に回収ホース２４が連結される。この回収ホース２４は残留物回収時には回収袋や、コンテナ等にのぞませる。この回収パイプ２３は前記送風パイプ２２と共に送風ファン２１に連通されて、これらの文岐部に設けられる切替弁２５によって、施肥時は送風パイプ２２側へ送風案内し、回収時は回収パイプ２３側へ送風案内するように切替えるように構成している。
【００１１】
前記各ホッパー１８は、後側下部の開閉軸２６の周りに回動させて、この下端のホッパ口２７を繰出装置１上の繰出室２８上にのぞませたり、開放することができる。シャッタ２９はこのホッパ２７部に設けられる。繰出ロール１９はこの各ホッパ口２７の直下に設けられて、ロール軸３０によって軸装回転され、各繰出ロール１９周面の繰出穴３１に肥料を嵌合させながら直下の繰出口３２へ繰出すことができる。３３はこの回転周面に摺接する升切ブラシである。前記回収口３は各繰出室２８の後側下部に設けられて、シャッタ軸３４の周りに回動されて開閉される回収シャッタ２が設けられ、この回収シャッタ２を閉鎖状態では繰出室２８内の肥料は繰出ロール１９の回転によって繰出口３２側へ繰出されるが、この回収シャッタ２を開くことによって繰出室２８内の肥料を回収口３から回収パイプ２３へ排出させる。
【００１２】
このように繰出室２８に残留する肥料を回収口３から回収パイプ２３へ取出すには、この回収シャッタ２を開く。この回収シャッタ２の操作は一側端部の操作具４によって操作可能とする。各回収シャッタ２のシャッタ軸３４にはピニオン３５を有し、このピニオン３５は横方向の操作具３６に配置したピニオン３７に噛合させる。この操作軸３６の一端部を直接に、又は、操作軸３９を介して横端部の操作盤３８に軸受けして、レバー形態の操作具４で回動操作できる。操作軸３９は３６との間にピニオン４０を噛合させて連動させる。
【００１３】
ここで、多条施肥の繰出装置１のうち進行方向に向って左側略半分の繰出装置１の回収シャッタ２を２Ａとし、右側略半分の繰出装置１の回収シャッタ２を２Ｂとして、各々略同じ軸芯上の操作軸３６で同時にまとめて一体的に開閉操作できる形態としている。このため、操作盤３８から遠い側の左側回収シャッタ２Ａは操作軸３６をそのまま操作盤３８側延長でき難いため、ピニオン４０と操作軸３９を介して操作盤３８側へ延長させている。しかも、これら左側回収シャッタ２Ａの操作軸３９には操作レバー４Ａを設け、右側回収シャッタ２Ｂの操作軸３６には操作レバー４Ｂを設けて、各々操作盤３８に回動案内させて、回収口３を開閉に切替えることができる。
【００１４】
これら各操作レバー４Ａ，４Ｂは、回収シャッタ２Ａ，２Ｂと共に前記送風ファン２１の切替弁２５をも切替連動する（図１、図６）。操作レバー４Ａ，４Ｂには、リンクロッド４２、ベルクランク４３、及び切替ロッド４４等を介して切替弁２５と連動して、操作レバー４Ａ，４Ｂによって回収シャッタ２Ａ，２Ｂを開いて、残留物を回収パイプ２３に排出案内させることにより、この切替弁２５を送風パイプ２２側から回収パイプ２３側へ切替えるように構成している。又、この連動は、操作レバー４Ａ，４Ｂの操作によって、先ず切替弁２５を回収パイプ２３側へ切替えて、この回収パイプ２３内に送風させてから、回収シャッタ２Ａ，２Ｂを開いて残留物を排出、円滑な回収搬送させるように構成することもできる。
【００１５】
前記各繰出装置１の伝動構成は、ロール軸３０の後側部を横方向に沿って設けられる駆動軸４５にスプロケット４６を有して、下方の車体１１側のＰＴＯ軸からチエン連動される。この駆動軸４５の外周には回転自在の筒軸４７が配置されて、クラッチ４８を介して一体回転される。各筒軸４７にはギヤ４９が配置されて、対向する繰出装置１のロール軸３０のギヤ５０と噛合連動する。筒軸４７及びクラッチ４８は繰出装置１の二基毎に設けられ、畦際作業のように一部の苗植条数の植付と共に繰出装置１の施肥を停止する場合は、この横端側のクラッチ４８を切りにして、施肥条数幅を選定することができる。
【００１６】
このような繰出装置１は、各回収口３の回収シャッタ２を閉鎖状態において、苗植装置１３の苗植作業時に駆動されて、各繰出ロール１９の回転とシャッタ２９の開きによって、ホッパー１８内の肥料が施肥ホース２０に繰出されて、送風ファン２１による送風が切替弁２５によって送風パイプ２２から各施肥ホース２０へ案内され、苗植付部近くの土壌面へ施肥される。このような施肥作用後に各繰出装置１内に残留している肥料を取出掃除するときは、機体横端の操作盤３８部において左右いずれか一方の操作レバー４Ａを先ず操作して、左回収シャッタ２Ａを開き、その後に右側の操作レバー４Ｂを操作して、右回収シャッタ２Ｂを開く。このため、左回収シャッタ２Ａの開きと同時に切替弁２５が回収パイプ２３側へ送するように切替えられているため、この左側の各繰出室２８の残留物は各回収口３から回収パイプ２３内へ送出されて、該送風によってこの右側端の回収ホース２４へ搬送される。このような回収作用中、又は回収作用後に右シャッタ２Ｂの開きによって、この右側の各繰出室２８の残留物が同回収パイプ２３内へ送出されて、回収ホース２４側へ搬送される。
【００１７】
このような多条施肥の繰出装置１の残留物の回収において、単一の送風ファン２１や回収パイプ２３を用いて回収搬送させることができ、構成、及び操作を簡単化できる。しかも、この回収操作は、多条全条を同時に回収搬送させないで一部毎に分けて、乃至一部毎にタイミングをずらせて搬送させるため、搬送開始時に残留物が一度にまとまって回収パイプ２３に繰り出されることがなく、従ってこの回収パイプ２３内に詰るようなことが少く、円滑で的確な回収を行うことができる。又、このような各部分的な回収操作は機体の左側、又は右側の一側端部において行うことができるため、作業者が多条の幅広い施肥土壌面を左右に移動することが少く、操作性を高めることができる。更には、この操作具４が回収パイプ２３の終端の回収ホース２４側に設けられるため、残留物の回収状況を見ながら回収作業できるため、操作性を高めることができる。
【００１８】
次に、主として図９、図１０に基づいて上例と異なる点は、前記左右の回収シャッタ２Ａ，２Ｂを切替えて操作する操作具４を単一の操作レバー４Ｃ形態として、構成、操作を簡単化するものである。操作盤３８には操作レバー４Ｃを案内するレバーガイドを、頭部のファンスイッチ部５１と、二又分岐の全条回収部５２と、右条回収部５３とにより略ｈ字形に形成する。繰出装置１及び回収シャッタ２等は左条回収部は５条で、右条回収部は３条で、合計全条回収部は８条の施肥形態としている。従って、各繰出装置１の回収シャッタ２を回動するための左右各操作軸３６上のピニオン３７も５箇、３箇の計８箇所に設けられる。左右の操作軸３６間にはばね５４で押圧されるドッグクラッチ形態の切替クラッチ５５が設けられる。この切替クラッチ５５は、操作レバー４Ｃの左右回動により入り切りされる。操作軸３６の中芯部には芯軸５６が軸方向に沿って移動自在に設けられ、この芯軸５６の一端を操作レバー４Ｃに連結して押し引きでき、他端に切替クラッチ５５の片側を回転自在に設けてこの操作レバー４Ｃをばね５４に抗して右条回収部５３側に操作するときは、この切替クラッチ５５を切りにして右条回収シャッタ２Ｂのみを開くことができ、左条回収部５２側へ操作するときは、この切替クラッチ５５を入りにして全条回収シャッタ２Ａ，２Ｂを略同時に開くことができる。５７は操作レバー４Ｃの基部を支持案内する案内溝で、操作レバー４Ｃは、該芯軸５６の周りに前後回動できると共に、この案内溝５７の周りに左右回動される。又、この操作レバー４Ｃは、レバーガイドのファンスイッチ５１を回動されることによって送風ファン２１のモータスイッチをＯＮして駆動するものであり、続く回動によって前記のように全条回収部５２又は右条回収部５３へ回動操作して回収形態を切替え選択する。
【００１９】
次に、主として図１１に基づいて上例と異なる点は、前記回収シャッタ２を操作する操作具４を、前記繰出装置１の後側部で、ホッパー１８の後側反転位置Ｄと、この下方の回収パイプ２３との間の間隔部Ｅに対向して設けることにより、狭い間隔部Ｅにこれら回収操作機構を配置してコンパクト化できる。操作具４は操作軸３６周りに上下に回動可能で、最上位置では施肥位置Ｆとして、回収シャッタ２を閉鎖するが、下動操作して部分回収位置Ｇにすると一部分の回収シャッタ２のみ開き更に最下位置Ｈでは全部の回収シャッタ２を開いて回収させる。
【００２０】
次に、図１２、図１３に基づてい上例と異なる点は、前記車体１１の操縦フロア６０の下側に、前記エンジンルーム５８と送風ファン２１の吸気口６１との間を連結する吸気ダクト６２を構成する。６３は吸気ダクト６２と吸気口６１との間を連結する連結ダクトである。操縦フロア６０は硬質の樹脂製加工されるが、吸気ダクト６２はこの操縦フロア６０の下面に同樹脂材によって一体的成形することができる。又、吸気ダクト６２を独立成形して操縦フロア６０の下面に取付けることもできる。この吸気ダクト６２の操縦フロア６０端から突出部分は連結ダクト６３として、吸気ダクト６２に連結する。このような構成によって、送風ファン２１の吸気としてエンジンルーム５８内の熱風を吸引して、エンジン９の冷却効率を高め、吸気ダクト６２の構成を簡潔にすることができる。
【００２１】
次に、主として図１４に基づいて、上例と異なる点は、前記繰出装置１の繰出口３２から繰出される肥料を受けて搬送させる施肥ホース２０への送風部である送風パイプ２２を、ゴム製の弾性ホース形態として、この送風パイプ２２の各施肥ホース２０への分岐口６４と対向する分岐対向部６５を、押当具６６で押圧変形させて、この送風パイプ２２内を流れる風向きや流速等を変化させることにより、各分岐口６４へ分岐される風量を調節するものである。押当具６６は前記取付フレーム４１の一部に対して前後移動調節可能とするブラケット６７によって取付けられる。このように送風パイプ２２の弾性を利用して外周分から変形させて、各施肥ホース２０への分岐風量を均一に調節するため、構成、調節が簡単であり、安価な構成とすることができる。
【図面の簡単な説明】
【図１】残留物回収具部と回収パイプ部の斜視図。
【図２】繰出装置部の正面図。
【図３】その一部の平面図。
【図４】その繰出装置部の側断面図。
【図５】その回収パイプ部の配置側断面図。
【図６】その操作具の連動機構図。
【図７】その苗植機の側面図。
【図８】その平面図。
【図９】一部別実施例を示す操作具部の平面図。
【図１０】その一部の側面図と、背面図。
【図１１】一部別実施例を示す操作具の側面図。
【図１２】一部別実施例を示す送風ファン部の側面図。
【図１３】その平面図。
【図１４】一部別実施例を示す送風パイプ部の斜視図。
【符号の説明】
１    繰出装置
２    回収シャッタ
３    回収口
４    操作具
【図１】
2004242635.tif 000003
【図２】
2004242635.tif 000004
【図３】
2004242635.tif 000005
【図４】
2004242635.tif 000006
【図５】
2004242635.tif 000007
【図６】
2004242635.tif 000008
【図７】
2004242635.tif 000009
【図８】
2004242635.tif 000010
【図９】
2004242635.tif 000011
【図１０】
2004242635.tif 000012
【図１１】
2004242635.tif 000013
【図１２】
2004242635.tif 000014
【図１３】
2004242635.tif 000015
【図１４】
2004242635.tif 000016